(57)【特許請求の範囲】
【請求項１】
ろ材を充填したろ床槽を槽内に有する汚水浄化槽において、前記ろ床槽が、平面視で略四角形に形成され、該ろ床槽内に通水板を上下に設けてこの間にろ材を充填したろ層が形成され、前記通水板が、ろ床槽の側壁の周囲から内側に且つ水平方向に凸となる受け座に載置され、前記側壁のうち、対峙する１対の側壁の受け座より上位置で内側に且つ水平方向に間隔をあけて設けた突起により係止され、且つ前記通水板に、前記突起により係止される側の端面に、前記突起より大きな切り欠きを設け、前記通水板を水平方向に移動して、該通水板の切り欠きと前記突起とを一致させることにより、通水板を着脱できるようにしたことを特徴とするろ床槽を有する汚水浄化槽。
【請求項２】
請求項１に記載のろ床槽が、嫌気ろ床槽又は好気ろ床槽としていずれか一方、若しくは嫌気ろ床槽及び好気ろ床槽として両方を備えたことを特徴とするろ床槽を有する汚水浄化槽。
【請求項３】
請求項１又は請求項２に記載のろ床槽が、別体で形成されて汚水浄化槽に組み込まれていることを特徴とするろ床槽を有する汚水浄化槽。
【発明の詳細な説明】
【０００１】
【発明の属する技術分野】
本発明は、住宅から排出されるし尿や雑排水などを処理する小規模な汚水浄化槽に用いられ、特にろ材を充填したろ床槽を有する汚水浄化槽に関する。
【０００２】
【従来の技術】
従来、汚水浄化槽は、該汚水浄化槽内が仕切壁によって仕切られて複数の槽が形成され、該各槽には処理方式に応じて、固形物の物理的な除去も兼ねた嫌気的生物処理や好気的生物処理、さらには仕上げとしての沈殿、処理水の貯留、消毒等の機能が加えられている。そして、特に固形物の物理的な除去も兼ねた嫌気的生物処理や好気的生物処理が行われる槽（嫌気処理槽、好気処理槽）には、それらの処理効率を良くさせるためにろ材が充填されることがある。なお、ろ材を充填した前記の嫌気処理槽は嫌気ろ床槽、好気処理槽は好気ろ床槽、また、前記ろ材を充填して形成される層をろ層と呼んでいる。
【０００３】
前記ろ材には、プラスチック製の網様円筒状、骨格様球状、へちま状、小円筒状、波板状、チューブ状、繊維絡み状、小形スポンジ状等の多様な形状、あるいは、アンスラサイト（無煙炭）、珪砂、小形状セラッミクス等が用いられている。前記各種ろ材の中では、汚水浄化槽の製品重量の軽量化、取り扱い性、コスト、輸送性などの特性から、水中で浮上する浮上性ろ材が多く用いられている。
【０００４】
そして、ろ材を充填したろ床槽を有する汚水浄化槽としては、図８及び図９（図８のＡ−Ａ面のろ床槽部分の断面図）に示す構造のものが例示される。なお、図８及び図９に示す汚水浄化槽１は、嫌気ろ床槽２及び好気ろ床槽３を有した構造を示し、該汚水浄化槽１内に仕切壁４、５、６、７によって少なくとも５つの槽が形成されており、上流側から主に固形物を除去する沈殿分離槽８（または夾雑物除去槽）、嫌気ろ床槽２、好気ろ床槽３、処理水槽９、消毒槽１０が配置されている。そして、前記嫌気ろ床槽２及び好気ろ床槽３には、水中で浮上する浮上性ろ材（以降、浮上性ろ材と略す）が充填されている。なお、前記沈殿分離槽８（または夾雑物除去槽）が、嫌気ろ床槽２と同じような構造を有するろ床槽にとって代わったものも例示されている。
【０００５】
上記の嫌気ろ床槽２は、図９に示すように、ろ材を通さない通水板１１、１２が上下に設けられ、この間にろ材が充填されている。そして前記通水板１１、１２は、周囲の側壁（汚水浄化槽１の外槽、仕切壁４、５）へ強固に取り付けられている。また、上記の好気ろ床槽３は、ろ材を通さない通水板１３、１４が上下に設けられ、且つその間に上下２つの層を形成させるために同様にろ材を通さない通水板１５が設けられ、それぞれの間にろ材が充填されている。そして前記通水板１３、１４、１５は、周囲の側壁（汚水浄化槽１の外槽、仕切壁５、６）へ強固に取り付けられている。
【０００６】
一方、前記通水板（１１、１２）は、嫌気ろ床槽２に示すように下側の通水板１２を支持体１６に載置して周囲の側壁に固定させ、上側の通水板１１をろ層上に載置して同様に周囲の側壁に固定して、さらに該通水板１１の上側から固定具１７により係止させている。また、前記通水板（１３、１４、１５）は、好気ろ床槽３に示すように各通水板１４、１５、１３の下側に支持体１８、１９、２０を介して周囲の側壁と固定させ、さらに最上部の通水板１３の上側から固定具２１により係止させている。なお、前記の好気ろ床槽３には、好気処理を行わせるための散気部材２２、下側のろ層を洗浄するための散気部材２３が設けられている。
【０００７】
上記のろ床槽を有した汚水浄化槽１において、汚水は、流入口２４より沈殿分離槽８（または夾雑物除去槽）に入り、固形物の除去や嫌気的生物分解による処理が行われる。沈殿分離槽８（または夾雑物除去槽）を出た移流水は、嫌気ろ床槽２に入り、更に固形物の除去や嫌気的生物分解が行われて、次に好気ろ床槽３に入る。該好気ろ床槽３では、上層で好気的な生物分解が行われて、下層で上層より持ち越される溶存酸素によって更に好気的生物分解が行われ、また浮遊懸濁物質（ＳＳ）の除去も行われて浄化される。前記好気ろ床槽３を出た処理水は、処理水槽９を経由して消毒槽１０に入り、ここで滅菌されて流出口２５より汚水浄化槽１外に放流される。
【０００８】
【発明が解決しようとする課題】
上記したように嫌気ろ床槽または好気ろ床槽あるいは嫌気ろ床槽及び好気ろ床槽を備えたろ床槽を有する汚水浄化槽には、ろ層を形成させるための通水板や支持体が設けられている。しかしながら、汚水浄化槽は、長年に渡って使用されるため、嫌気ろ床槽または好気ろ床槽のろ層の点検、場合によってはろ材の補充や交換、散気部材の清掃や交換などの保守点検が必要とされる。その保守点検の際に、前記通水板は、周囲の側壁と接着剤や固定具により強固に固定されているため、着脱性に劣り、場合によっては一部を壊さなければ点検口（マンホール）より取り出すことができなかった。また、支持体についても場合によっては一部を壊さなければ点検口（マンホール）より取り出すことができなかった。
【０００９】
本発明は、以上のような課題に鑑み、嫌気ろ床槽または好気ろ床槽のろ層を容易に形成させることができ、且つ通水板が容易に着脱でき、また支持体を不要にして、保守点検などの作業性に優れたろ床槽を有する汚水浄化槽を提供することを目的とするものである。
【００１０】
【課題を解決するための手段】
本発明は、槽内にろ材を充填してろ層を形成させるために、少なくとも上下に配置した通水板を側壁より突出する受け座上に載置し、該受け座に載置した通水板を側壁より突出し且つ間隔を設けて形成させた突起により上側から係止させ、そして前記通水板には、前記突起と同じ間隔で且つ突起より大きな切り欠きを設けて、前記通水板を受け座上で水平方向に移動させ、該通水板の切り欠きと前記突起とが重なり合うように一致させて、上方向に容易に着脱できるようにしてなる嫌気ろ床槽及び／又は好気ろ床槽を有する汚水浄化槽である。また、本発明は、前記のようにして形成されるろ床槽を別体で製作して、該ろ床槽を汚水浄化槽内に組み込んでなる汚水浄化槽である。
【００１１】
即ち、本発明の請求項１は、図１に示すように、ろ材を充填したろ床槽を槽内に有する汚水浄化槽において、前記ろ床槽２６が、平面視で略四角形に形成され、該ろ床槽２６内に通水板２７を上下に設けてこの間にろ材を充填したろ層が形成され、前記通水板２７が、ろ床槽２６の側壁の周囲から内側に且つ水平方向に凸となる受け座３１に載置され、前記側壁のうち、対峙する１対の側壁の受け座３１より上位置で内側に且つ水平方向に間隔をあけて設けた突起３２により係止され、且つ前記通水板２７に、前記突起３２により係止される側の端面に、前記突起３２より大きな切り欠きを設け、前記通水板２７を水平方向に移動して、該通水板２７の切り欠きと前記突起３２とを一致させることにより、通水板２７を着脱できるようにしたことを特徴とする。
【００１２】
また、本発明の請求項２は、汚水浄化槽に請求項１に記載のろ床槽２６が、嫌気ろ床槽２又は好気ろ床槽３としていずれか一方、若しくは嫌気ろ床槽２及び好気ろ床槽３として両方を備えたことを特徴とする。
【００１３】
また、本発明の請求項３は、図２に示すように、請求項１又は請求項２に記載のろ床槽２６（２、３）が、別体で形成されて汚水浄化槽に組み込まれていることを特徴とする。
【００１４】
【発明の実施の形態】
本発明のろ材を充填したろ床槽２６を槽内に有する汚水浄化槽は、図８（複数の槽が形成されることは、従来の汚水浄化槽１と共通するので、同図を用いる）及び図１に示すように、該汚水浄化槽１内が仕切壁４、５、６、７によって仕切られて複数の槽が形成され、それら各槽には、ろ床槽２６が少なくとも嫌気ろ床槽２又は好気ろ床槽３としていずれか一方、若しくは嫌気ろ床槽２及び好気ろ床槽３として両方が備えられて用いられる。その他の槽には、処理方式に応じて、嫌気的生物処理効果も見られる沈殿分離槽８（夾雑物などの固形物除去を行う）、処理水を貯留させる処理水槽９、処理水を滅菌する消毒槽１０等に用いられる。なお、汚水浄化槽１に好気ろ床槽３を形成させる場合には、該好気ろ床槽３の下流に処理水槽９が設けられることが好ましい。また、汚水浄化槽１は、上流側から嫌気処理槽、好気処理槽の順に配置されることが好ましい。
【００１５】
本発明の嫌気ろ床槽２または好気ろ床槽３として適用されるろ床槽２６には、ろ材が充填される。該ろ材には、プラスチック製の網様円筒状、骨格様球状、へちま状、小円筒状、波板状、チューブ状、繊維絡み状、独立気泡体や連通気泡体の小形発泡体等の多様な形状、あるいは、アンスラサイト（無煙炭）、珪砂、小形状セラッミクス等が挙げられる。本発明では、汚水浄化槽の製品重量を軽くすること、また、取り扱い性、コスト、輸送性、耐久性などから、前記のような各種ろ材のうち水中で浮上する浮上性ろ材（以降、浮上性ろ材と略す）が好ましく用いられる。
【００１６】
次に、ろ材を充填したろ床槽２６について、図２、図３、図４、図５、図６及び図７を参照して説明する。なお、図２は、ろ床槽２６が好気ろ床槽３として用いられ、別体として形成され一部透視した斜視図を示している。図３は、図２の通水板取り付け部の平面図であり、（ａ）は、通水板２７が突起３２によって係止されている状態、また（ｂ）は、通水板２７が取り出せる状態（切り欠き３３と突起３２とが重なり合って一致している）を示す。また図４の（ａ）は、図３のＢ−Ｂ面における断面図、（ｂ）は、図３のＣ−Ｃ面における断面図である。前記のろ床槽２６が、嫌気ろ床槽２として用いられる場合には、図２、図３、図５及び図６において、後述する散気部材（２２、２３）及び空気管３５が除かれる。
【００１７】
図５は、ろ床槽２６が汚水浄化槽１に仕切壁４、５（５、６）と汚水浄化槽１の外槽とを介して一体で形成される分解斜視図であり、（ａ）は汚水浄化槽１の上槽３７の一部分、（ｃ）は汚水浄化槽１の下槽３８の一部分を示し、上槽３７と下槽３８とがフランジで接合されて汚水浄化槽１が形成される。前記汚水浄化槽１内に、（ｂ）のろ床槽２６が形成される。図６は、図５の通水板２７取り付け部の平面図であり、（ａ）は、通水板２７が突起３２によって係止されている状態、また（ｂ）は、通水板２７が取り出せる状態（切り欠き３３と突起３２とが重なり合って一致している）を示す。また図７の（ａ）は、図６のＤ−Ｄ面における断面図、（ｂ）は、図６のＥ−Ｅ面における断面図であり、前記（ｂ）の側壁３４は、この場合汚水浄化槽１本体の外槽が側壁３４になる。
【００１８】
ここで、図５、図６及び図７を参照して、ろ床槽２６が汚水浄化槽１に仕切壁４、５（５、６）を介して一体で形成される場合について説明する。ろ床槽２６は、平面視で略四角形であり、周囲の壁は、２対の側壁で形成され、１対の側壁は仕切壁４、５（５、６）であり、もう１対の側壁３４、３４は汚水浄化槽１本体の外槽である。そして嫌気ろ床槽２の場合は、同じ構造の通水板２７が上下に設けられ、この間にろ材が充填される。また好気ろ床槽３の場合は、前記と同じ通水板２７が上中下の３個所に設けられて、この間にろ材が充填され、ろ層が上下に形成されることが好ましい。
【００１９】
上記の通水板２７は、略四角形をなし、ろ材が保持でき且つ水が通過できる板状体であり、ポリ塩化ビニル、ポリエチレン、ポリプロピレン、ジシクロペンタジエン、ＦＲＰなどのプラスチック製、鉄、アルミニウム、ステンレスなどの耐食性または耐食性を施した金属製の材料が用いられる。
【００２０】
そして、通水板２７は、次のようにして着脱される。通水板２７は、図６に示すように、１対の仕切壁４（５）、５（６）から突出する突起３２より大きな切り欠き３３を設けてあり、そして１対の仕切壁４（５）、５（６）及び外槽である１対の側壁３４、３４から内側に且つ水平方向に凸となるように設けた受け座３１に載置される。また、前記通水板２７は、１対の仕切壁４（５）、５（６）から、内側に且つ水平方向に間隔をあけて設けた突起３２により上側から係止される。なお、前記突起３２は、外槽である１対の側壁３４、３４には設けていない。
【００２１】
従って、突起３２を前記したように１対の仕切壁４（５）、５（６）に設けることによって、前記通水板２７は、該通水板２７を外槽の１対の側壁３４、３４方向に且つ水平に移動させると、切り欠き３３と突起３２とが重なり合い一致して、上側へ取り出すことができる（図６（ｂ））。また、逆に前記通水板２７は、切り欠き３３と突起３２とを一致させた後、受け座３１に押し付けながら移動させると、前記切り欠き３３と突起３２とがずれて突起３２により係止される（図６（ａ））。
【００２２】
なお、前記突起３２は、外槽である１対の側壁３４、３４側にも設けることができるが、この場合には、通水板２７にも切り欠き（３３）を設け、該通水板２７を水平方向で前後及び左右に移動させ、切り欠き（３３）と突起（３２）とを一致させれば着脱できる。即ち、外槽である１対の側壁３４、３４の突起（３２）と切り欠き（３３）とを合せ、次にもう１対の仕切壁４（５）、５（６）の突起３２と切り欠き３３とを合せることにより、通水板２７が着脱できる。
【００２３】
なお、図６においては、ろ床槽２６が好気ろ床槽３に適用された場合を示しており、そのため通水板２７の切り欠き３３には、散気部材２２、２３に接続される空気管３５が通る切り欠き部も設けている。一方、図７に示すように、上記の１対の仕切壁４（５）、５（６）に設ける受け座３１は、前記１対の仕切壁４（５）、５（６）に一体形成させることが好ましく、これによって仕切壁４（５）、５（６）の補強効果が得られ、水圧や土圧による変形を防止することができる。また、外槽の１対の側壁３４、３４に設ける受け座３１は、前記外槽にボルト３６、リベットなどの固定具により、または接着剤等により後付けされる（図７（ｂ））。以上のように、通水板２７は、受け座３１に載置し上側から突起３２で係止させて側壁に取り付けるようにしたので、着脱が容易となり、また従来用いていた支持体が不要になる。
【００２４】
次に、図２、図３及び図４を参照して、ろ床槽２６が別体で形成されて、汚水浄化槽１に組み込まれる場合について説明する。ろ床槽２６は、平面視で略四角形であり、２対の側壁と底板３０で形成され、１対の側壁は２８、２８であり、もう１対の側壁は２９、２９である。前記２対の側壁２８、２８、２９、２９及び底板３０には、ポリ塩化ビニル、ポリエチレン、ポリプロピレン、ジシクロペンタジエン、ＦＲＰなどのプラスチック製、鉄、アルミニウム、ステンレスなどの耐食性または耐食性を施した金属製の材料が用いられる。後述する各部材等を取り付けたろ床槽２６は、図５に示すような上槽３７と下槽３８とからなる汚水浄化槽１に組み込まれて固定される。
【００２５】
そして、ろ床槽２６を好気ろ床槽３として用いる場合は、図２に示すように、通水板２７が上中下の３個所に設けられて、この間にろ材が充填され、ろ層が上下に形成されることが好ましい。なお、前記好気ろ床槽３は、好気処理を行わせるために、空気管３５を介して散気部材２２、２３が各々のろ層下方に設けられ、また空気管３５及び散気部材２２、２３は、着脱できるように設けられている。また、嫌気ろ床槽２の場合は、前記と同じ通水板２７が上下に設けられ、この間にろ材が充填されるとともに、前記した散気部材２２、２３及び空気管３５が除かれる。
【００２６】
ろ床槽２６に設けられる上記の通水板２７は、略四角形をなし、ろ材が保持でき且つ水が通過できる板状体であり、ポリ塩化ビニル、ポリエチレン、ポリプロピレン、ジシクロペンタジエン、ＦＲＰなどのプラスチック製、鉄、アルミニウム、ステンレスなどの耐食性または耐食性を施した金属製の材料が用いられる。
【００２７】
そして、通水板２７は、次のようにして着脱される。通水板２７は、図３に示すように、１対の側壁２８、２８から突出する突起３２より大きな切り欠き３３を設けてあり、そして２対の側壁２８、２８及び２９、２９から内側に且つ水平方向に凸となるように設けた受け座３１に載置される。また、前記通水板２７は、１対の側壁２８、２８から、内側に且つ水平方向に間隔をあけて設けた突起３２により上側から係止される。なお、前記突起３２は、もう１対の側壁２９、２９には設けていない。
【００２８】
従って、突起３２を前記したように側壁２８、２８に設けることによって、前記通水板２７は、該通水板２７を１対の側壁２９、２９方向に且つ水平に移動させると、切り欠き３３と突起３２とが重なり合い一致して、上側へ取り出すことができる（図３（ｂ））。また、逆に前記通水板２７は、切り欠き３３と突起３２とを一致させた後、受け座３１に押し付けながら移動させると、前記切り欠き３３と突起３２とがずれて突起３２により係止される（図３（ａ））。
【００２９】
なお、前記突起３２は、１対の側壁２９、２９側にも設けることができるが、この場合には、通水板２７にも切り欠き（３３）を設け、該通水板２７を水平方向で前後及び左右に移動させ、切り欠き（３３）と突起（３２）とを一致させれば着脱できる。即ち、１対の側壁２８、２８の突起３２と切り欠き３３とを合せ、次にもう１対の側壁２９、２９の突起（３２）と切り欠き（３３）とを合せることにより、通水板２７が着脱できる。以上のように、通水板２７は、受け座３１に載置し上側から突起３２で係止させて側壁に取り付けるようにしたので、着脱が容易となり、また従来用いていた支持体が不要になる。
【００３０】
なお、図３においては、ろ床槽２６が好気ろ床槽３に用いられた場合を示しており、そのため通水板２７の切り欠き３３には、散気部材２２、２３に接続される空気管３５が通る切り欠き部も設けている。一方、図４に示すように、上記の２対の側壁２８、２８及び２９、２９に設ける受け座３１は、前記側壁２８、２８、及び２９、２９に一体形成させることが好ましく、これによって側壁２８、２８及び２９、２９の補強効果が得られ、水圧や土圧による変形を防止することができる。
【００３１】
上記のようなろ床槽２６を、嫌気ろ床槽２又は好気ろ床槽３としていずれか一方、若しくは嫌気ろ床槽２及び好気ろ床槽３として両方を組み込んだ汚水浄化槽１において、少なくとも嫌気ろ床槽２及び好気ろ床槽３を有した汚水浄化槽１（図８及び図１参照）を用いて、汚水の処理方法を説明する。
【００３２】
汚水は、流入口２４より沈殿分離槽８（または夾雑物除去槽）に入り、固形物の除去や嫌気的生物分解による処理が行われる。沈殿分離槽８（または夾雑物除去槽）から出た移流水は、嫌気ろ床槽２に入り、更に固形物の除去や嫌気的生物分解が行われて、次に好気ろ床槽３に入る。該好気ろ床槽３では、上層で好気的な生物分解が行われて、下層で上層より持ち越される溶存酸素によって更に好気的生物分解が行われ、また浮遊懸濁物質（ＳＳ）の除去も行われて浄化される。前記好気ろ床槽３の下層を出た処理水は、仕切壁６（側壁２８の一方）の底部に設けた移流口より処理水槽９を経由して消毒槽１０に入り、ここで滅菌されて流出口２５より汚水浄化槽１外に放流される。
【００３３】
なお、好気ろ床槽３では、好気的生物処理を行わせるために、外部に設けたブロワ（図示省略）からの空気を上層の散気部材２２より吐出させてばっ気を行わせ、また、下層の散気部材２３からは、前記下層の洗浄時に空気を吐出させるようにしている。
【００３４】
そして、上記の汚水浄化槽１の保守点検時には、マンホール３９の蓋を外し、次いで空気管３５の継手部（図示省略）を外した後、通水板２７を水平方向に移動させ切り欠き３３と突起３２を一致させれば、前記通水板２７を上側へ取り出すことができ、これによってろ材の状態を容易に確認することができる。
【００３５】
【発明の効果】
以上のように本発明は、ろ床槽が、平面視で略四角形に形成され、該ろ床槽内に通水板を上下に設けてこの間にろ材を充填したろ層が形成され、前記通水板が、ろ床槽の側壁の周囲から内側に且つ水平方向に凸となる受け座に載置され、前記側壁のうち、対峙する１対の側壁の受け座より上位置で内側に且つ水平方向に間隔をあけて設けた突起により係止され、且つ前記通水板に、前記突起により係止される側の端面に、前記突起より大きな切り欠きを設け、前記通水板を水平方向に移動して、該通水板の切り欠きと前記突起とを一致させることにより、通水板を着脱できるようにしたので、ろ層などの保守点検が容易になり、また支持体も不要になる。そして、このろ床槽は汚水浄化槽に嫌気ろ床槽または好気ろ床槽として容易に形成させることができ、さらに、この嫌気ろ床槽または好気ろ床槽を別体にして汚水浄化槽に組み込むことができる。
【図面の簡単な説明】
【図１】本発明の汚水浄化槽内のろ床槽部分の詳細を示す断面図。
【図２】一部透視した別体型の好気ろ床槽を示す斜視図。
【図３】別体型ろ床槽の通水板の取り付け状態を示し、（ａ）は、通水板が係止されている状態の平面図、（ｂ）は、通水板が取り出せる状態の平面図。
【図４】別体型ろ床槽の通水板の取り付け状態を示し、（ａ）は、図３（ａ）のＢ−Ｂ面の断面図、（ｂ）は、図３（ａ）のＣ−Ｃ面の断面図。
【図５】ろ床槽が汚水浄化槽に一体形成されて組み込まれた場合の分解斜視図を示し、（ａ）は、汚水浄化槽の上槽、（ｃ）は、汚水浄化槽の下槽、（ｂ）は、好気ろ床槽。
【図６】一体型ろ床槽の通水板の取り付け状態を示し、（ａ）は、通水板が係止されている状態の平面図、（ｂ）は、通水板が取り出せる状態の平面図。
【図７】一体型ろ床槽の通水板の取り付け状態を示し、（ａ）は、図６（ａ）のＤ−Ｄ面の断面図、（ｂ）は、図６（ａ）のＥ−Ｅ面の断面図。
【図８】従来のろ床槽を有した汚水浄化槽を示し、（ａ）は、汚水浄化槽の平面図、（ｂ）は、（ａ）のＡ−Ａ面の断面図。
【図９】図８の（ｂ）におけるろ床槽部分の詳細図。
【符号の説明】
１．汚水浄化槽  ２．嫌気ろ床槽  ３．好気ろ床槽  ４．仕切壁  ５．仕切壁  ６．仕切壁  ７．仕切壁  ８．沈殿分離槽  ９．処理水槽  １０．消毒槽  １１．通水板  １２．通水板  １３．通水板  １４．通水板  １５．通水板  １６．支持体  １７．固定具  １８．支持体  １９．支持体  ２０．支持体  ２１．固定具  ２２．散気部材  ２３．散気部材  ２４．流入口  ２５．流出口  ２６．ろ床槽  ２７．通水板  ２８．側壁  ２９．側壁  ３０．底板  ３１．受け座  ３２．突起  ３３．切り欠き  ３４．側壁  ３５．空気管  ３６．ボルト  ３７．上槽  ３８．下槽  ３９．マンホール
【図１】
0003994302.tif 000002
【図２】
0003994302.tif 000003
【図３】
0003994302.tif 000004
【図４】
0003994302.tif 000005
【図５】
0003994302.tif 000006
【図６】
0003994302.tif 000007
【図７】
0003994302.tif 000008
【図８】
0003994302.tif 000009
【図９】
0003994302.tif 000010